(57)【要約】【課題】体重や体格に関係なく、全ての使用者に適した寝心地の良いベッド用マットレスを提供する。【解決手段】円筒形状で同じ大きさの袋体Ｐに同一径のコイルスプリングＳを一つ収納して形成してなるポケットコイル２０を複数、水平方向に密接して並べて形成したコイル構造体１０を内蔵したもので、コイル構造体１０は、袋体Ｐに弾力Ｘの第一コイルスプリングＳ１を一つ収納して形成してなる第一ポケットコイル２０ａを、複数、直列状に並べた第一コイル群１１と、袋体Ｐに弾力Ｙの第二コイルスプリングＳ２を一つ収納して形成してなる第二ポケットコイル２０ｂを、複数、直列状に並べた第二コイル群１２を、長手方向に直角に交互に多数配置したもので、第一，第二コイル群１１，１２は、長手方向に第一，第二ポケットコイル２０ａ，２０ｂの半径距離Ｄ分ずらし、一方のコイル群のポケットコイルを他方のコイル群の２つのポケットコイル間に位置させた。【選択図】図１
2009112601.tif 000002
【特許請求の範囲】
【請求項１】
円筒形状で同じ大きさの袋体に同一径のコイルスプリングを一つ収納して形成してなるポケットコイルを複数、水平方向に密接して並べて形成したコイル構造体を内蔵したベッド用のマットレスであって、
前記コイル構造体は、
前記袋体に前記コイルスプリングのうち、弾力Ｘの第一コイルスプリングを一つ収納して形成してなる第一ポケットコイルを、複数、直列状に並べた第一コイル群と、
前記袋体に前記コイルスプリングのうち、前記第一コイルスプリングの弾力Ｘとは異なる弾力Ｙの第二コイルスプリングを一つ収納して形成してなる第二ポケットコイルを、複数、直列状に並べた第二コイル群とを、各コイル群が延びる長手方向に直角な方向に交互に多数配置したもので、
前記第一コイル群と第二コイル群は、相互に前記長手方向に前記第一，第二ポケットコイルの半径距離分ずらし、一方のコイル群のポケットコイルが、他方のコイル群の隣接する２つのポケットコイルの間に位置するように配置されていることを特徴とするベッド用マットレス。
【請求項２】
各第一コイル群は、それぞれ、直列状に隣接する袋体同士が接合されることによって連結され、かつ、各第二コイル群は、それぞれ、直列状に隣接する袋体同士が接合されることによって連結されていることを特徴とする請求項１に記載のベッド用マットレス。
【請求項３】
隣接する前記第一コイル群と第二コイル群は、それぞれ第一コイル群と第二コイル群の袋体同士が接着によって接合されることによって連結されていることを特徴とする請求項１または２に記載のベッド用マットレス。
【請求項４】
前記第一コイル群と第二コイル群は、その長手方向を、前記ベッドの縦方向，横方向、及び斜め方向のうちいずれか一つの方向とすることを特徴とする請求項１乃至３のうちいずれか一つに記載のベッド用マットレス。
【請求項５】
前記第一コイル群の第一コイルスプリングと第二コイル群の第二コイルスプリングとは、コイルの巻数または材質の違いによって、弾力が異なることを特徴とする請求項１乃至４のうちいずれか一つに記載のベッド用マットレス。
【発明の詳細な説明】
【技術分野】
【０００１】
本発明は、多数のポケットコイルを内蔵したベッド用マットレスに関するものである。
【背景技術】
【０００２】
ベッド用のマットレスには、コイルスプリングを布製の袋に収納して構成した、いわゆるポケットコイルを多数並べた状態で、それを内蔵して構成したものがある（例えば、特許文献１参照）。
【０００３】
また、こうしたポケットコイルを内蔵したベッド用マットレスにおいて、エッジ部分にポケットコイルを二段に重ねて、マットレスに保形性を持たせたものもある（例えば、特許文献２参照）。
【特許文献１】特開平１１−２４４０９８号公報
【特許文献２】特開平０９−２７６０８４号公報
【発明の開示】
【発明が解決しようとする課題】
【０００４】
しかしながら、従来のベッド用マットレスは、使用者の体重や体格によっては、体圧を良好に分散することができず、また、寝返りなどの動きを良好に支持することができないので、寝心地が悪いといった問題がある。
これは、同一の弾力を有するポケットコイルのみを並べて構成していることに起因するものである。
【０００５】
例えば、一般に、強い弾力を有するポケットコイルを使用したベッド用マットレスは、体重の重い使用者には、その体重を十分に支持することができるので、比較的適しているものの、体重の軽い使用者には適さない傾向にある。その逆に、弾力の弱いポケットコイルを使用したベッド用マットレスは、体重の軽い使用者には適しているが、体重の重い使用者には適さない傾向にある。
【０００６】
そこで、本発明の目的とするところは、体重や体格に関係なく、全ての使用者に適した寝心地の良いベッド用マットレスを提供することにある。
【課題を解決するための手段】
【０００７】
上記の目的を達成するために、本発明の請求項１に記載のベッド用マットレスは、円筒形状で同じ大きさの袋体（Ｐ）に同一径のコイルスプリング（Ｓ）を一つ収納して形成してなるポケットコイル（２０）を複数、水平方向に密接して並べて形成したコイル構造体（１０）を内蔵したベッド用のマットレス（１）であって、
前記コイル構造体（１０）は、
前記袋体（Ｐ）に前記コイルスプリング（Ｓ）のうち、弾力Ｘの第一コイルスプリング（Ｓ１）を一つ収納して形成してなる第一ポケットコイル（２０ａ）を、複数、直列状に並べた第一コイル群（１１）と、
前記袋体（Ｐ）に前記コイルスプリング（Ｓ）のうち、前記第一コイルスプリング（Ｓ１）の弾力Ｘとは異なる弾力Ｙの第二コイルスプリング（Ｓ２）を一つ収納して形成してなる第二ポケットコイル（２０ｂ）を、複数、直列状に並べた第二コイル群（１２）とを、各コイル群（１１，１２）が延びる長手方向に直角な方向に交互に多数配置したもので、
前記第一コイル群（１１）と第二コイル群（１２）は、相互に前記長手方向に前記第一，第二ポケットコイル（２０ａ，２０ｂ）の半径距離（Ｄ）分ずらし、一方のコイル群のポケットコイルが、他方のコイル群の隣接する２つのポケットコイルの間に位置するように配置されていることを特徴とする。
【０００８】
また、請求項２に記載のベッド用マットレスは、各第一コイル群（１１）は、それぞれ、直列状に隣接する袋体（Ｐ）同士が接合されることによって連結され、かつ各第二コイル群（１２）は、それぞれ、直列状に隣接する袋体（Ｐ）同士が接合されることによって連結されていることを特徴とする。
【０００９】
さらに、請求項３に記載のベッド用マットレスは、隣接する前記第一コイル群（１１）と第二コイル群（１２）は、それぞれ第一コイル群（１１）と第二コイル群（１２）の袋体（Ｐ）同士が接着によって接合されることによって連結されていることを特徴とする。
【００１０】
また、請求項４に記載のベッド用マットレスは、前記第一コイル群（１１）と第二コイル群（１２）は、その長手方向を、前記ベッドの縦方向，横方向、及び斜め方向のうちいずれか一つの方向とすることを特徴とする。
【００１１】
また、請求項５に記載のベッド用マットレスは、前記第一コイル群（１１）の第一コイルスプリング（Ｓ１）と第二コイル群（１２）の第二コイルスプリング（Ｓ２）とは、コイルの巻数または材質の違いによって、弾力が異なることを特徴とする。
【００１２】
なお、カッコ内の記号は、図面および後述する発明を実施するための最良の形態に記載された対応要素または対応事項を示す。
【発明の効果】
【００１３】
本発明の請求項１に記載のベッド用マットレスによれば、内蔵されるコイル構造体が、弾力の異なる複数の第一コイルスプリングを収納した第一ポケットコイルを複数、直列状に並べた第一コイル群と、第二コイルスプリングを収納した第二ポケットコイルを複数、直列状に並べた第二コイル群とを交互に多数配置しているので、全ての使用者に適した製品とすることができる。
【００１４】
すなわち、弾力の異なるコイルスプリングを有する第一コイル群と第二コイル群を交互に配置しているので、使用者の身体を弾力が強い方のコイル群（例えば、第一コイル群）と、それより弾力が小さな方のコイル群（例えば、第二コイル群）という二段階の弾力で支持することができる（弾力の大きな方のコイル群は身体を強固にしっかり支え、弾力の小さな方のコイル群は身体を柔らかく（ソフトに）支える）。
従って、使用者の身体を柔軟に支持して、体圧を良好に分散することができると共に、寝返りなどの動きに対しても柔軟に弾性変形して、良好に対応することができる。これによって、使用者の寝心地を良くすることができる。
【００１５】
また、弾力の異なる第一コイル群と第二コイル群は振動周波数が異なるので、相互の振動を吸収しあう。従って、使用者の寝返り時等の振動を軽減することができ、寝心地をさらに良くすることができる。
【００１６】
さらに、このベッド用マットレスは、前記第一コイル群と第二コイル群を、相互に長手方向に第一，第二ポケットコイルの半径距離分ずらし、一方のコイル群のポケットコイルが、他方のコイル群の隣接する２つのポケットコイルの間に位置するように配置するので、これにより、第一コイル群と第二コイル群を、より密接させることができる。
従って、使用者の身体を、より高い密度の点群（第一コイル群および第二コイル群）によって支持することができ、寝心地をさらに良くすることができる。
【００１７】
また、請求項２に記載のベッド用マットレスによれば、請求項１に記載の発明の作用効果に加えて、各第一コイル群および各第二コイル群が、それぞれ、直列状に隣接する第一コイルおよび第二コイルの袋体同士が接合されることによって連結されているので、第一コイル群および第二コイル群を、常に確実に直列状に維持することができる。
これにより、例えば、使用者が寝返り等の動きを行っても、第一コイル群および第二コイル群は、それぞれ第一ポケットコイル同士および第二ポケットコイル同士がずれることなく、その配置をそのまま維持することができる。これによっても、寝心地を良くすることができる。
【００１８】
さらに、請求項３に記載のベッド用マットレスによれば、請求項１および２に記載の発明の作用効果に加えて、隣接する第一コイル群と第二コイル群が、それぞれの袋体同士の接着によって接合されることによって連結されているので、両者は、使用者の動きによってずれることなく、その配置をそのまま維持することができる。従って、寝心地をさらに良くすることができる。
【００１９】
また、請求項４に記載のベッド用マットレスによれば、第一コイル群と第二コイル群は、その長手方向を、ベッドの縦方向，横方向、及び斜め方向のうちいずれか一つの方向とすることができるので、汎用性がある。
【００２０】
また、請求項５に記載のベッド用マットレスによれば、第一コイル群の第一コイルスプリングと第二コイル群の第二コイルスプリングとは、同一径ではあるが、コイルの巻数または材質の違いによって、弾力を異ならせることができるので、種々のものを選択することができる。
【発明を実施するための最良の形態】
【００２１】
図１乃至図７を参照して、本発明の実施形態に係るベッド用マットレス１について説明する。図１はベッド用マットレス１を示す半断面平面図、図２はその側面図で、図３はその正面図である。また、図４は、図３のＡ−Ａ線部分拡大断面図である。図５は、ベッド用マットレス１に内蔵したコイル構造体１０の要部を示す斜視図で、図６はその一部を示す平面図である。また、図７はコイル構造体１０の接着ラインＬを示す一部断面側面図である。
【００２２】
本実施形態に係るベッド用マットレス１は、円筒形状で同じ大きさの袋体Ｐに同一径のコイルスプリングＳを一つ収納して形成してなる同一径のポケットコイル２０を多数、水平方向に密接して並べて形成したコイル構造体１０を内蔵したものである。
【００２３】
コイル構造体１０の上面および下面には、これらの構造に限定されるわけではないが、図４に示すように、コイル構造体１０の側から順に、ネット２、ウレタンフォーム（インナー）３、不織布４、ウレタンフォーム（アウター）５および表地６を設けている。また、側面には、図２に示すように、複数のベンチレーター７とエッジテープ８を設けている。
【００２４】
コイル構造体１０は、袋体ＰにコイルスプリングＳのうち、弾力Ｘの第一コイルスプリングＳ１を一つ収納して形成してなる第一ポケットコイル２０ａを、複数、直列状に並べた第一コイル群１１と、袋体ＰにコイルスプリングＳのうち、第一コイルスプリングＳ１の弾力Ｘとは異なり、それよりも弾力が弱い弾力Ｙの第二コイルスプリングＳ２を一つ収納して形成してなる第二ポケットコイル２０ｂを、複数、直列状に並べた第二コイル群１２とを、各コイル群１１，１２が延びる長手方向、ここではマットレス１の長尺方向、に直角な方向、ここではマットレス１の短尺方向、に交互に多数配置したものである。
なお、図１および図５では、第一ポケットコイル２０ａにおける袋体Ｐの頂壁Ｐ２を便宜上黒く塗りつぶして示した。また、図６では、第一ポケットコイル２０ａにおける袋体Ｐの頂壁Ｐ２を斜線で示した。
【００２５】
また、この第一コイル群１１と第二コイル群１２は、相互に長手方向に第一，第二ポケットコイル２０ａ，２０ｂの半径距離Ｄ分ずらし、一方のコイル群のポケットコイルが、他方のコイル群の隣接する２つのポケットコイルの間に位置するように配置されている。
なお、第一コイル群１１と第二コイル群１２の配置方向は、マットレス１の長尺方向（ベッドの縦方向）に限定されず、マットレス１の短尺方向（ベッドの横方向）やマットレス１の斜め方向（ベッドの斜め方向）でも良い。
【００２６】
また、本実施形態に係るベッド用マットレス１は、各第一コイル群１１を、直列状に隣接する袋体Ｐ同士を接合して連結すると共に、各第二コイル群１２も、直列状に隣接する袋体Ｐ同士を接合して連結している。この接合部を、図６および図７では、符号Ｊで示した。この袋体Ｐの接合手段は限定されないが、例えば、縫合、圧着あるいは接着などで行うことができる。
【００２７】
この袋体Ｐは、図７に示すように、円形状の底壁Ｐ１と頂壁Ｐ２および円筒状の筒壁Ｐ３を有するもので、コイルスプリングＳ（Ｓ１，Ｓ２）の全体を覆う形状を成している。第一コイルスプリングＳ１と第二コイルスプリングＳ２の弾力は、例えば、コイルスプリングＳの材質や、その巻数によって、その強弱を設定することができる。
【００２８】
さらに、このベッド用マットレス１は、図６に示すように、隣接する第一コイル群１１と第二コイル群１２を、それぞれの袋体Ｐ同士を接着剤Ｇで接着することによって接合することで連結している。なお、ベッド用マットレス１の端部においては、保形成を確保すべく、図１および図５に示すように、第一コイル群１１を隣接して二列に配置し、その袋体Ｐ同士を接着材で接着している。これらの接着は、図７に接着ラインＬとして示すように、高さ方向の三箇所で行っているが、これに限定されるものではなく、適宜の箇所で行うことができる。なお、本実施形態における袋体Ｐは不織布で形成しているが、織布や布以外の材料で形成することもできる。
【００２９】
本実施形態に係るベッド用マットレス１は、直列状に並べた弾力の強い方の第一コイル群１１と、それより弾力が弱い方の第二コイル群１２を、交互に多数配置しているので、全ての使用者に適した製品とすることができる。
【００３０】
すなわち、使用者の身体を弾力の強い方の第一コイル群１１と、それより弾力が弱い方の第二コイル群１２で支持するので、身体を、二段階にわたる弾力で支持することができる。従って、使用者の身体を柔軟に（ソフトに）受けて支持しながら、体圧を効果的に分散することができると共に、寝返りなどの動きを良好に支持することができる。よって、使用者の寝心地を良くすることができる。
【００３１】
また、弾力の異なる第一コイル群１１と第二コイル群１２は振動周波数が異なるので、互いに振動を吸収しあう。従って、使用者の寝返り時等の振動をそれぞれが効果的に軽減して、寝心地をさらに良くすることができる。
【００３２】
さらに、このベッド用マットレス１は、第一コイル群１１と第二コイル群１２を、相互に長手方向にポケットコイル２０の半径距離Ｄずらしているので、図６に示すように、第一ポケットコイル２０ａを第二ポケットコイル２０ｂの連結凹部Ｃに配置すると共に、第二ポケットコイル２０ｂを第一ポケットコイル２０ａの連結凹部Ｃに配置することができる。これにより、第一コイル群１１と第二コイル群１２を、より密接させることができ、使用者の身体を、より高い密度の点群（第一ポケットコイル２０ａおよび第二ポケットコイル２０ｂ）によって支持することができる。その結果、寝心地をさらに良くすることができる。
【００３３】
また、このベッド用マットレス１は、各第一コイル群１１および各第二コイル群１２を、それぞれ、隣接する袋体Ｐ同士を接合することによって連結しているので、第一コイル群１１および第二コイル群１２を常に確実に直列状に維持することができる。これにより、例えば、使用者が寝返り等の動きを行っても、第一コイル群１１および第二コイル群１２は、それぞれずれることなく、その配置をそのまま維持することができる。従って、寝心地をさらに良くすることができる。
【００３４】
さらに、本実施形態に係るベッド用マットレス１は、隣接する第一コイル群１１と第二コイル群１２を、それぞれの袋体Ｐ同士の接着によって連結しているので、両者の配置がずれることがない。従って、さらに寝心地を良くすることができる。
【００３５】
なお、本実施形態に係るベッド用マットレス１は、保形成を確保するために、その端部（エッジ部分）に第一コイル群１１を隣接して二列に配置しているので、前記特許文献２に記載のように、ポケットコイルを二段に重ねる必要がない。従って、ポケットコイル２０の使用数を軽減して生産性を高めることができる。
【図面の簡単な説明】
【００３６】
【図１】本発明の実施形態に係るベッド用マットレスを示す半断面平面図である。
【図２】図１に示すベッド用マットレスの側面図である。
【図３】図１に示すベッド用マットレスの正面図である。
【図４】図３のＡ−Ａ線部分拡大断面図である。
【図５】図１に示すベッド用マットレスに内蔵したコイル構造体の要部を示す斜視図である。
【図６】図５に示すコイル構造体の一部を示す平面図である。
【図７】図６に示すコイル構造体の接着ラインを示す一部断面側面図である。
【符号の説明】
【００３７】
１        ベッド用マットレス
２        ネット
３        ウレタンフォーム（インナー）
４        不織布
５        ウレタンフォーム（アウター）
６        表地
７        ベンチレーター
８        エッジテープ
１０        コイル構造体
１１        第一コイル群
１２        第二コイル群
２０        ポケットコイル
２０ａ      第一ポケットコイル
２０ｂ      第二ポケットコイル
Ｃ        連結凹部
Ｄ        半径距離
Ｇ        接着剤
Ｊ        接合部
Ｌ        接着ライン
Ｐ        袋体
Ｐ１      底壁
Ｐ２      頂壁
Ｐ３      筒壁
Ｓ        コイルスプリング
Ｓ１      第一コイルスプリング
Ｓ２      第二コイルスプリング
【図１】
2009112601.tif 000003
【図２】
2009112601.tif 000004
【図３】
2009112601.tif 000005
【図４】
2009112601.tif 000006
【図５】
2009112601.tif 000007
【図６】
2009112601.tif 000008
【図７】
2009112601.tif 000009